(57)【要約】【課題】住宅の換気装置に使用される表示機能において、空気の汚れ度合い表示を行った場合、実際の空気の汚れの原因、すなわち汚染物質の発生量過多、あるいは換気量の不足の何れが原因であるか特定することができないため、換気装置の実際の換気量を検知し換気装置の性能低下の原因を特定し、またその原因を使用者に報知することを目的とする。【解決手段】換気装置１において、風速あるいは風量を測定する風速風量測定手段２を備え、前記風速風量測定手段２が測定した風量と所定風量とを比較する事により、風量判定を行う風量判定手段３と、その風量判定結果に応じて予め決められた報知事項を報知する報知手段４を備える構成とすることにより、換気装置１の実際の風量すなわち換気量を使用者に報知し、換気装置１の性能低下が空気の汚れ原因であるか、汚染物質の発生量過多が原因であるかを認識することができる換気装置が得られる。【選択図】図１ 
2005106322.tif 000002
【特許請求の範囲】
【請求項１】
換気装置本体あるいは外部に、風速あるいは風量を測定する風速風量測定手段を備え、前記風速風量測定手段が測定した値を報知する報知手段とを備えた換気装置。
【請求項２】
風量判定手段を備え、前記風量判定手段は風速風量測定手段により測定された風量と所定値とを比較する事により風量判定を行い、その風量判定結果に応じて予め決められた報知事項を報知手段により報知する請求項１記載の換気装置。
【請求項３】
風速風量測定手段は風速を検知する風速検知手段と、前記風速検知手段により検知した風速と前記風速検知手段の設置箇所によって決定される断面積情報とにより風量を演算する風量演算手段を備えたことを特徴とする請求項１または２記載の換気装置。
【請求項４】
風速検知手段は、熱式風速計であることを特徴とする請求項３記載の換気装置。
【請求項５】
風速検知手段は、超音波式風速計であることを特徴とする請求項３記載の換気装置。
【請求項６】
風速検知手段は、翼車式風速計であることを特徴とする請求項３記載の換気装置。
【請求項７】
風速検知手段は、ピトー管式風速計であることを特徴とする請求項３記載の換気装置。
【請求項８】
風速風量測定手段と必要換気量演算手段とを備え、前記風速風量測定手段が測定した値と前記必要換気量演算手段から演算された必要換気量を比較する換気量比較手段を備え、前記換気量比較手段の比較結果から予め決められた報知事項を報知する報知手段を備えた換気装置。
【請求項９】
風速風量測定手段と必要換気回数演算手段とを備え、前記風速風量測定手段が測定した値と前記必要換気回数演算手段から演算された必要換気回数を比較する換気回数比較手段を備え、前記換気回数比較手段の比較結果から予め決められた報知事項を報知する報知手段を備えた換気装置。
【請求項１０】
風速風量測定手段と換気量設定手段とを備え、前記風速風量測定手段が測定した値と前記換気量設定手段により設定された換気量を比較する換気量比較手段を備え、前記換気量比較手段の比較結果から予め決められた報知事項を報知する報知手段を備えた換気装置。
【請求項１１】
風速風量測定手段と換気回数設定手段を備え、前記風速風量測定手段が測定した値と前記換気回数設定手段により設定された換気回数を比較する換気回数比較手段を備え、前記換気回数比較手段の比較結果から予め決められた報知事項を報知する報知手段を備えた換気装置。
【請求項１２】
風量可変手段を備えた、請求項１０または１１記載の換気装置。
【請求項１３】
電動機により駆動されるファンを備えた換気装置本体と、回転数測定手段と、測定した回転数を記憶する記憶手段と、換気装置設置時の回転数と現在の回転数との差を求める回転数比較手段を備え、前記回転数比較手段の比較結果から風量または換気量の変化と予め決められた報知事項を報知する報知手段を備えた換気装置。
【請求項１４】
電動機により駆動されるファンを備えた換気装置本体と、回転数測定手段と、前記回転数測定手段が測定した値とマイコン制御などにより設定された回転数指令値との差を求める回転数比較手段を備え、前記回転数比較手段の比較結果から風量または換気量の変化と予め決められた報知事項を報知する報知手段を備えた換気装置。
【請求項１５】
電動機の単位時間あたりの回転数変動値を演算する回転数変動値演算手段を備え、前記変動値と所定の値との差を求める回転数比較手段とを備えた請求項１４記載の換気装置。
【請求項１６】
電動機のある回転数から目的の回転数になるまでの所要時間を計測する計測手段を備え、前記所要時間と所定の値との差を求める回転数比較手段とを備えた請求項１４記載の換気装置。
【請求項１７】
電力計測手段と単位時間あたりの電力変動値を演算する単位時間変動演算手段を備え、前記単位時間変動演算手段から演算された電力変動値と電力変動の所定値と比較する電力比較手段を備え、前記電力比較手段の比較結果から風量または換気量の変化と予め決められた報知事項を報知する報知手段を備えた換気装置。
【請求項１８】
１つの表示手段で複数の内容を表示識別できる表示手段を備えた請求項１〜１７のいずれかに記載の換気装置。
【請求項１９】
報知手段が換気装置と別体となっている請求項１〜１８のいずれかに記載の換気装置。
【発明の詳細な説明】
【技術分野】
【０００１】
本発明は、換気装置運転時の情報を報知することができる換気装置に関する。
【背景技術】
【０００２】
近年、住居の気密性が高くなっていることや、化学物質を放つ建材の使用およびエアコンなどの普及で窓を開けないなど、生活環境の変化から室内の空気が汚れがちで、これがシックハウス症候群の原因と考えられ、その対策として建築基準法が改正されるなど、換気装置の必要性、関心は高まっており、換気装置の換気動作の有無や風量または換気量、および、住宅の換気設備設計通りの能力を発揮しているかを報知する報知手段を備えた換気装置が求められている。
【０００３】
また、電動機などの要素技術の発達により換気装置の長寿命化が促進されているが、換気装置が使用される実態としては通電されたままなど一般的に過酷な使用をされる場合が多く、また清掃や保守、点検も行われることも少ないため、ほこりや油汚れなどによる換気能力の低下、さらには電動機の回転がさまたげられてロックした状態となり、通電状態のまま電動機が過熱してしまう場合もある。よって、換気装置が住宅の換気設備設計通りの能力を発揮していない場合、例えば清掃や、保守、点検の時期などを報知し、使用者へ注意を促す報知手段を備えた換気装置が求められている。
【０００４】
従来、この種の換気装置として、空気汚れ検出素子を備え、空気の汚れ度合いを示す空気処理装置の自動運転装置が知られている。（例えば、特許文献１参照）
以下、その換気装置について図２８を参照しながら説明する。
【０００５】
図に示すように、換気装置１０１において、前記換気装置とは別体に自動運転装置１０２を備え、前記自動運転装置に空気汚れ検出素子を備え、また、前記空気汚れ検出素子の出力を段階的、視覚的に表示する表示手段１０３を備えることにより、空気の汚れ度合いを視覚的に示している。
【０００６】
上記により、自動運転による換気を行うことで汚れ度合いが減少し、ある所定の値以下になった際に使用者が表示を確認する事で換気されたと認知できる。
【０００７】
また、空気の汚れを検知するのは検知手段の対象物質のみである。
【特許文献１】特公平６−１０５１３１号公報
【発明の開示】
【発明が解決しようとする課題】
【０００８】
このような従来の換気装置では、空気の汚れ度合いを検出することで自動運転制御と汚れ度合いの表示を行っている。この空気の汚れ度合い表示を行っても、室内の汚染物質発生量と換気量によって変動するため、室内の汚染物質の発生量が多いために汚れ度合いが悪化したのか、換気量が不足していることにより汚れ度合いが悪化したのか判断できないという課題があり、汚れ度合いの原因を報知することが求められている。
【０００９】
また、換気装置の能力を示す実際の風量または換気量を把握できず、換気装置のメンテナンス時期、あるいは交換時期が判断できないという課題があり、使用者に換気装置の換気動作の有無、および実際の風量または換気量を報知することにより、換気装置が効果的に動作しているか否かを報知することができる換気装置が要求されている。
【００１０】
さらに、換気装置が必要換気量、あるいは必要換気回数に相当する換気能力を発揮していない際には注意を促すことができず、使用者は換気装置の外観上の汚れでのみ掃除時期、あるいは交換時期を判断しているという課題があり、換気装置の性能すなわち実際の風量または換気量の低下によりメンテナンス時期を報知することができる換気装置が要求されている。
【００１１】
また、換気装置が充分な換気能力を発揮していない場合であっても、自動で風量を変更することができないという課題があり、充分な換気能力が得られていない場合は必要な換気量が得られるよう風量を可変することができる換気装置が要求されている。
【００１２】
さらに、使用者が換気装置の消費電力や、換気装置の能力を示す実際の風量または換気量など換気装置の任意に複数の運転情報を同時に確認、あるいは一つの表示画面で確認することができないという課題があり、換気装置の諸運転状態すなわち消費電力、風量または換気量を一括して確認することができる換気装置が要求されている。
【００１３】
また、換気装置が住宅の換気設備設計通りの能力を発揮していない際、例えば、風路が塞がれた場合や不良施工の場合、また、ほこりや油汚れによるフィルタの目詰まりに起因する機能低下の場合、さらには電動機のロックした場合など換気能力が低下していることについてもわからないという課題があり、換気能力が低下している際には使用者に報知する事が要求されている。
【００１４】
本発明は、このような従来の課題を解決するものであり、第１の目的は風量または換気量を随時把握でき、換気装置が住宅の換気設備設計通りの能力を発揮しているか、あるいは発揮していない際には使用者に注意を促すことを提供することにある。
【００１５】
第２の目的は、状況に応じて風速または換気量を急速に任意変化させる事を提供することにある。
【課題を解決するための手段】
【００１６】
本発明の換気装置は上記目的を達成するために、風速あるいは風量を測定する風速風量測定手段を備え、前記風速風量測定手段が測定した値を報知する報知手段を備える構成としたものである。
【００１７】
この手段により、換気装置の能力を示す実際の風量または換気量を把握でき、使用者に換気装置の換気動作の有無、および実際の風量または換気量を報知することにより、換気装置が効果的に動作しているか否かを報知することができる換気装置を提供できる。
【００１８】
また他の手段は、風量判定手段を備え、前記風量判定手段は風速風量測定手段により測定された風量と所定値とを比較する事により風量判定を行い、その風量判定結果に応じて予め決められた報知事項を報知手段により報知する構成としたものである。
【００１９】
この手段により、換気装置の能力を示す実際の風量または換気量を把握でき、また、換気量を段階的に評価できるため、使用者に換気装置の換気動作の有無および換気動作に応じた風量または換気量、すなわち換気装置が住宅の換気設備設計通りの能力を発揮しているか、あるいは発揮していない際には注意を促すことができる換気装置を提供できる。
【００２０】
さらに他の手段は、前記風速風量測定手段は風速を検知する風速検知手段と、前記風速検知手段により検知した風速と前記風速検知手段の設置箇所によって決定される断面積情報とにより風量を演算する風量演算手段を備えた構成である。
【００２１】
この手段により、換気装置の能力を示す実際の風量または換気量を把握でき、また、換気量を段階的に評価できるため、使用者に換気装置の換気動作の有無および換気動作に応じた風量または換気量、すなわち換気装置が住宅の換気設備設計通りの能力を発揮しているか、あるいは発揮していない際には注意を促すことができる換気装置を提供できる。
【００２２】
また他の手段は、前記風速検知手段を熱式風速計または超音波式風速計または翼車式風速計またはピトー管式風速計としたものである。
【００２３】
この手段により、換気装置の能力を示す実際の風量または換気量を把握でき、また、換気量を段階的に評価できるため、使用者に換気装置の換気動作の有無および換気動作に応じた風量または換気量、すなわち換気装置が住宅の換気設備設計通りの能力を発揮しているか、あるいは発揮していない際には注意を促すことができる換気装置を提供できる。
【００２４】
さらに他の手段は、風速風量測定手段と必要換気量演算手段とを備え、前記風速風量測定手段が測定した値と前記必要換気量演算手段から演算された必要換気量とを比較する換気量比較手段を備え、前記換気量比較手段の比較結果から換気能力が発揮できているかを報知する報知手段を備える構成としたものである。
【００２５】
この手段により、換気装置の能力を示す実際の風量または換気量を把握でき、また、換気量を段階的に評価できるため、使用者に換気装置が必要換気量に相当する換気能力を発揮しているか、あるいは発揮していない際には注意を促すことができる換気装置を提供できる。
【００２６】
また他の手段は、風速風量測定手段と必要換気回数演算手段とを備え、前記風速風量測定手段が測定した値と前記必要換気回数演算手段から演算された必要換気回数とを比較する換気回数比較手段を備え、前記換気回数比較手段の比較結果から換気能力が発揮できているかを報知する報知手段を備える構成としたものである。
【００２７】
この手段により、換気装置の能力を示す実際の風量または換気量を把握でき、また、換気量を段階的に評価できるため、換気回数が必要換気回数に相当する換気能力を発揮しているか、あるいは発揮していない際には注意を促すことができる換気装置を提供できる。
【００２８】
さらに他の手段は、風速風量測定手段と換気量設定手段とを備え、前記風速風量測定手段が測定した値と前記換気量設定手段により設定された換気量とを比較する換気量比較手段を備え、前記換気量比較手段の比較結果から換気能力が発揮できているかを報知する報知手段を備える構成としたものである。
【００２９】
この手段により、換気装置の能力を示す実際の風量または換気量を把握でき、また、換気量を段階的に評価できるため、換気装置が必要換気回数に相当する換気能力を発揮しているか、あるいは発揮していない際には注意を促すことができる換気装置を提供できる。
【００３０】
また他の手段は、風速風量測定手段と換気回数設定手段を備え、前記風速風量測定手段が測定した値と前記換気回数設定手段により設定された換気回数とを比較する換気回数比較手段を備え、前記換気回数比較手段の比較結果から換気能力が発揮できているかを報知する報知手段を備える構成としたものである。
【００３１】
この手段により、換気装置の能力を示す実際の風量または換気量を把握でき、また、換気量を段階的に評価できるため、換気装置により設定した換気回数の通りの換気が得られているか、あるいは得られていない際には注意を促すことができる換気装置を提供できる。
【００３２】
さらに他の手段は、請求項１０、または１１記載の換気装置に風量可変手段を備える構成としたものである。
【００３３】
この手段により、換気装置の能力を示す実際の風量または換気量を把握でき、また、換気量を段階的に評価できるため、使用者に換気装置の換気動作の有無および換気動作に応じた風量または換気量、すなわち換気装置が設定した換気能力を発揮しているか、あるいは発揮していない際には設定した換気能力が得られるよう風量を可変することができる換気装置を提供できる。
【００３４】
また他の手段は、電動機により駆動されるファンを備えた換気装置本体と、回転数測定手段と、測定した回転数を記憶する記憶手段と、換気装置設置時の回転数と現在の回転数との差を求める回転数比較手段と、比較結果から風量または換気量の変化を報知する報知手段とを備える構成としたものである。
【００３５】
この手段により、換気装置の能力を示す実際の風量または換気量の変化度合いを把握でき、また、実際の風量または換気量の変化度合いを段階的に評価できるため、使用者に換気装置の換気動作の有無、換気装置が住宅の換気設備設計通りの能力を発揮しているか、あるいは発揮していない際には注意を促すことができる換気装置を提供できる。
【００３６】
さらに他の手段は、電動機により駆動されるファンを備えた換気装置本体と、回転数測定手段と、前記回転数測定手段が測定した値とマイコン制御などにより設定された回転数指令値との差を求める回転数比較手段と、比較結果から風量または換気量の変化を報知する報知手段とを備える構成としたものである。
【００３７】
この手段により、換気装置の能力を示す実際の風量または換気量の変化度合いを把握でき、また、実際の風量または換気量の変化度合いを段階的に評価できるため、使用者に換気装置の風量または換気量の変化を報知、すなわち換気装置の能力低下がないか、あるいは能力低下が発生した際には注意を促すことができる換気装置を提供できる。
【００３８】
また他の手段は、電動機の単位時間あたりの回転数変動値を演算する回転数変動値演算手段を備え、前記変動値と所定の値との差を求める回転数比較手段とを備える構成としたものである。
【００３９】
この手段により、換気装置の能力を示す実際の風量または換気量の変化度合いを把握でき、また、実際の風量または換気量の変化度合いを段階的に評価できるため、使用者に換気装置の風量または換気量の変化を報知、すなわち換気装置の能力低下がないか、あるいは能力低下が発生した際には注意を促すことができる換気装置を提供できる。
【００４０】
さらに他の手段は、電動機のある回転数から目的の回転数になるまでの所要時間を計測する計測手段を備え、前記所要時間と所定の値との差を求める回転数比較手段とを備える構成としたものである。
【００４１】
この手段により、換気装置の能力を示す実際の風量または換気量の変化度合いを把握でき、また、実際の風量または換気量の変化度合いを段階的に評価できるため、使用者に換気装置の換気動作の有無、換気装置が住宅の換気設備設計通りの能力を発揮しているか、あるいは発揮していない際には注意を促すことができる換気装置を提供できる。
【００４２】
また他の手段は、電力計測手段と単位時間あたりの電力変動値を演算する単位時間変動演算手段を備え、前記単位時間変動演算手段から演算された電力変動値と電力変動の所定値と比較する電力比較手段を備え、前記電力比較手段の比較結果から実際の風量または換気量の変化を報知する報知手段とを備える構成としたものである。
【００４３】
この手段により、換気装置の電力値と、換気装置の能力を示す実際の風量または換気量の変化度合いとを把握でき、また、実際の風量または換気量の変化度合いを段階的に評価できるため、使用者に換気装置の換気動作の有無、換気装置が住宅の換気設備設計通りの能力を発揮しているか、あるいは発揮していない際には注意を促すことができる換気装置を提供できる。
【００４４】
さらに他の手段は、１つの表示手段で複数の内容を表示識別できる表示手段を備えたものである。
【００４５】
この手段により、使用者が換気装置の消費電力や、換気装置の能力を示す実際の風量または換気量など換気装置の任意に複数の運転情報を確認でき、また、換気量を段階的に評価できるため、使用者は換気装置の諸運転状態すなわち消費電力、風量または換気量を一括して確認することができる換気装置を提供できる。
【００４６】
また他の手段は、報知手段が換気装置と別体とする構成としたものである。
【００４７】
この手段により、使用者に換気装置の運転状態把握の視認性向上、および換気回数設定など操作性を向上することができる換気装置を提供できる。
【発明の効果】
【００４８】
本発明によれば、風速あるいは風量を測定する風速風量測定手段を備え、前記風速風量測定手段が測定した値を報知する報知手段を備える構成とすることで、換気装置の能力を示す実際の風量または換気量を把握でき、使用者に換気装置の換気動作の有無の報知、および実際の風量または換気量を報知による換気装置が効果的に動作しているか否かを報知することができるという効果のある換気装置を提供できる。
【００４９】
また、風量判定手段を備え、前記風量判定手段は風速風量測定手段により測定された風量と所定値とを比較する事により風量判定を行い、その風量判定結果に応じて予め決められた報知事項を報知手段により報知する構成とすることで、換気装置の能力を示す実際の風量または換気量を把握でき、また、換気量を段階的に評価できるため、使用者に換気装置の換気動作の有無および換気動作に応じた風量または換気量、すなわち換気装置が住宅の換気設備設計通りの能力を発揮しているか、あるいは発揮していない際には注意を促すことができるという効果のある換気装置を提供できる。
【００５０】
さらに、前記風速風量測定手段は、風速を検知する風速検知手段と、前記風速検知手段により検知した風速と前記風速検知手段の設置箇所によって決定される断面積情報とにより風量を演算する風量演算手段を備えた構成とすることで、換気装置の能力を示す実際の風量または換気量を把握でき、また、換気量を段階的に評価できるため、使用者に換気装置の換気動作の有無および換気動作に応じた風量または換気量、すなわち換気装置が住宅の換気設備設計通りの能力を発揮しているか、あるいは発揮していない際には注意を促すことができるという効果のある換気装置を提供できる。
【００５１】
また、前記風速検知手段を熱式風速計または超音波式風速計または翼車式風速計またはピトー管式風速計とすることで、換気装置の能力を示す実際の風量または換気量を把握でき、また、換気量を段階的に評価できるため、使用者に換気装置の換気動作の有無および換気動作に応じた風量または換気量、すなわち換気装置が住宅の換気設備設計通りの能力を発揮しているか、あるいは発揮していない際には注意を促すことができるという効果のある換気装置を提供できる。
【００５２】
さらに、風速風量測定手段と必要換気量演算手段とを備え、前記風速風量測定手段が測定した値と前記必要換気量演算手段から演算された必要換気量とを比較する換気量比較手段を備え、前記換気量比較手段の比較結果から換気能力が発揮できているかを報知する報知手段を備える構成とすることで、換気装置の能力を示す実際の風量または換気量を把握でき、また、換気量を段階的に評価できるため、使用者に換気装置が必要換気量に相当する換気能力を発揮しているか、あるいは発揮していない際には注意を促すことができるという効果のある換気装置を提供できる。
【００５３】
また、風速風量測定手段と必要換気回数演算手段とを備え、前記風速風量測定手段が測定した値と前記必要換気回数演算手段から演算された必要換気回数とを比較する換気回数比較手段を備え、前記換気回数比較手段の比較結果から換気能力が発揮できているかを報知する報知手段を備える構成とすることで、換気装置の能力を示す実際の風量または換気量を把握でき、また、換気量を段階的に評価できるため、換気装置が必要換気量に相当する換気能力を発揮しているか、あるいは発揮していない際には注意を促すことができるという効果のある換気装置を提供できる。
【００５４】
さらに、風速風量測定手段と換気量設定手段とを備え、前記風速風量測定手段が測定した値と前記換気量設定手段により設定された換気量とを比較する換気量比較手段を備え、前記換気量比較手段の比較結果から換気能力が発揮できているかを報知する報知手段を備える構成とすることで、換気装置の能力を示す実際の風量または換気量を把握でき、また、換気量を段階的に評価できるため、換気装置が必要換気回数に相当する換気能力を発揮しているか、あるいは発揮していない際には注意を促すことができるという効果のある換気装置を提供できる。
【００５５】
また、風速風量測定手段と換気回数設定手段を備え、前記風速風量測定手段が測定した値と前記換気回数設定手段により設定された換気回数とを比較する換気回数比較手段を備え、前記換気回数比較手段の比較結果から換気能力が発揮できているかを報知する報知手段を備える構成とすることで、換気装置の能力を示す実際の風量または換気量を把握でき、また、換気量を段階的に評価できるため、換気装置により設定した換気回数の通りの換気が得られているか、あるいは得られていない際には注意を促すことができるという効果のある換気装置を提供できる。
【００５６】
さらに、請求項１０、または１１記載の換気装置に風量可変手段を備える構成とすることで、換気装置の能力を示す実際の風量または換気量を把握でき、また、換気量を段階的に評価できるため、使用者に換気装置の換気動作の有無および換気動作に応じた風量または換気量、すなわち換気装置が設定した換気能力を発揮しているか、あるいは発揮していない際には設定した換気能力が得られるよう風量を可変することができるという効果のある換気装置を提供できる。
【００５７】
また、電動機により駆動されるファンを備えた換気装置本体と、回転数測定手段と、測定した回転数を記憶する記憶手段と、換気装置設置時の回転数と現在の回転数との差を求める回転数比較手段を備え、前記回転数比較手段の比較結果から風量または換気量の変化を報知する報知手段とを備える構成とすることで、換気装置の能力を示す実際の風量または換気量の変化度合いを把握でき、また、実際の風量または換気量の変化度合いを段階的に評価できるため、使用者に換気装置の換気動作の有無、換気装置が住宅の換気設備設計通りの能力を発揮しているか、あるいは発揮していない際には注意を促すことができるという効果のある換気装置を提供できる。
【００５８】
さらに、電動機により駆動されるファンを備えた換気装置本体と、回転数測定手段と、前記回転数測定手段が測定した値とマイコン制御などにより設定された回転数指令値との差を求める回転数比較手段を備え、回転数前記比較手段の比較結果から風量または換気量の変化を報知する報知手段とを備える構成とすることで、換気装置の能力を示す実際の風量または換気量の変化度合いを把握でき、また、実際の風量または換気量の変化度合いを段階的に評価できるため、使用者に換気装置の風量または換気量の変化を報知、すなわち換気装置の能力低下がないか、あるいは能力低下が発生した際には注意を促すことができるという効果のある換気装置を提供できる。
【００５９】
また、電動機の単位時間あたりの回転数変動値を演算する回転数変動値演算手段を備え、前記変動値と所定の値との差を求める回転数比較手段とを備える構成とすることで、換気装置の能力を示す実際の風量または換気量の変化度合いを把握でき、また、実際の風量または換気量の変化度合いを段階的に評価できるため、使用者に換気装置の風量または換気量の変化を報知、すなわち換気装置の能力低下がないか、あるいは能力低下が発生した際には注意を促すことができるという効果のある換気装置を提供できる。
【００６０】
さらに、電動機のある回転数から目的の回転数になるまでの所要時間を計測する計測手段を備え、前記所要時間と所定の値との差を求める回転数比較手段とを備える構成とすることで、換気装置の能力を示す実際の風量または換気量の変化度合いを把握でき、また、実際の風量または換気量の変化度合いを段階的に評価できるため、使用者に換気装置の換気動作の有無、換気装置が住宅の換気設備設計通りの能力を発揮しているか、あるいは発揮していない際には注意を促すことができるという効果のある換気装置を提供できる。
【００６１】
また、電力計測手段と単位時間あたりの電力変動値を演算する単位時間変動演算手段を備え、前記単位時間変動演算手段から演算された電力変動値と電力変動の所定値と比較する電力比較手段を備え、前記電力比較手段の比較結果から実際の風量または換気量の変化を報知する報知手段とを備える構成とすることで、換気装置の電力値と、換気装置の能力を示す実際の風量または換気量の変化度合いとを把握でき、また、実際の風量または換気量の変化度合いを段階的に評価できるため、使用者に換気装置の換気動作の有無、換気装置が住宅の換気設備設計通りの能力を発揮しているか、あるいは発揮していない際には注意を促すことができるという効果のある換気装置を提供できる。
【００６２】
さらに、１つの表示手段で複数の内容を表示識別できる表示手段を備える構成とすることで、使用者が換気装置の消費電力や、換気装置の能力を示す実際の風量または換気量など換気装置の任意に複数の運転情報を確認でき、また、換気量を段階的に評価できるため、使用者は換気装置の諸運転状態すなわち消費電力、風量または換気量を一括して確認することができるという効果のある換気装置を提供できる。
【００６３】
また、報知手段が換気装置と別体とすることで、使用者に換気装置の運転状態把握の視認性向上、および換気回数設定など操作性を向上することができるという効果のある換気装置を提供できる。
【発明を実施するための最良の形態】
【００６４】
本発明の請求項１記載の発明は、換気装置本体あるいは外部に、風速あるいは風量を測定する風速風量測定手段を備え、前記風速風量測定手段が測定した値を報知する報知手段を備える構成とすることで、換気装置の能力を示す実際の風量または換気量を把握でき、使用者に換気装置の換気動作の有無の報知、および実際の風量または換気量を報知による換気装置が効果的に動作しているか否かを報知することができるという作用を有する。
【００６５】
また、風量判定手段を備え、前記風量判定手段は風速風量測定手段により測定された風量と所定値とを比較する事により風量判定を行い、その風量判定結果に応じて予め決められた報知事項を報知手段により報知する構成とすることで、換気装置の能力を示す実際の風量または換気量を把握でき、また、換気量を段階的に評価できるため、使用者に換気装置の換気動作の有無および換気動作に応じた風量または換気量、すなわち換気装置が住宅の換気設備設計通りの能力を発揮しているか、あるいは発揮していない際には注意を促すことができるという作用を有する。
【００６６】
さらに、前記風速風量測定手段は、風速を検知する風速検知手段と、前記風速検知手段により検知した風速と前記風速検知手段の設置箇所によって決定される断面積情報とにより風量を演算する風量演算手段とによる構成とすることで、換気装置の能力を示す実際の風量または換気量を把握でき、また、換気量を段階的に評価できるため、使用者に換気装置の換気動作の有無および換気動作に応じた風量または換気量、すなわち換気装置が住宅の換気設備設計通りの能力を発揮しているか、あるいは発揮していない際には注意を促すことができるという作用を有する。
【００６７】
また、前記風速検知手段を熱式風速計または超音波式風速計または翼車式風速計またはピトー管式風速計とすることで、換気装置の能力を示す実際の風量または換気量を把握でき、また、換気量を段階的に評価できるため、使用者に換気装置の換気動作の有無および換気動作に応じた風量または換気量、すなわち換気装置が住宅の換気設備設計通りの能力を発揮しているか、あるいは発揮していない際には注意を促すことができるという作用を有する。
【００６８】
さらに、風速風量測定手段と必要換気量演算手段とを備え、前記風速風量測定手段が測定した値と前記必要換気量演算手段から演算された必要換気量とを比較する換気量比較手段を備え、前記換気量比較手段の比較結果から換気能力が発揮できているかを報知する報知手段を備える構成とすることで、換気装置の能力を示す実際の風量または換気量を把握でき、また、換気量を段階的に評価できるため、使用者に換気装置が必要換気量に相当する換気能力を発揮しているか、あるいは発揮していない際には注意を促すことができるという作用を有する。
【００６９】
また、風速風量測定手段と必要換気回数演算手段とを備え、前記風速風量測定手段が測定した値と前記必要換気回数演算手段から演算された必要換気回数とを比較する換気回数比較手段を備え、前記換気回数比較手段の比較結果から換気能力が発揮できているかを報知する報知手段を備える構成とすることで、換気装置の能力を示す実際の風量または換気量を把握でき、また、換気量を段階的に評価できるため、換気装置が必要換気量に相当する換気能力を発揮しているか、あるいは発揮していない際には注意を促すことができるという作用を有する。
【００７０】
さらに、風速風量測定手段と換気量設定手段とを備え、前記風速風量測定手段が測定した値と前記換気量設定手段により設定された換気量とを比較する換気量比較手段を備え、前記換気量比較手段の比較結果から換気能力が発揮できているかを報知する報知手段を備える構成とすることで、換気装置の能力を示す実際の風量または換気量を把握でき、また、換気量を段階的に評価できるため、換気装置が必要換気回数に相当する換気能力を発揮しているか、あるいは発揮していない際には注意を促すことができるという作用を有する。
【００７１】
また、風速風量測定手段と換気回数設定手段を備え、前記風速風量測定手段が測定した値と前記換気回数設定手段により設定された換気回数とを比較する換気回数比較手段を備え、前記換気回数比較手段の比較結果から換気能力が発揮できているかを報知する報知手段を備える構成とすることで、換気装置の能力を示す実際の風量または換気量を把握でき、また、換気量を段階的に評価できるため、換気装置により設定した換気回数の通りの換気が得られているか、あるいは得られていない際には注意を促すことができるという作用を有する。
【００７２】
さらに、請求項１０、または１１記載の換気装置に風量可変手段を備える構成とすることで、換気装置の能力を示す実際の風量または換気量を把握でき、また、換気量を段階的に評価できるため、使用者に換気装置の換気動作の有無および換気動作に応じた風量または換気量、すなわち換気装置が設定した換気能力を発揮しているか、あるいは発揮していない際には設定した換気能力が得られるよう風量を可変することができるという作用を有する。
【００７３】
また、電動機により駆動されるファンを備えた換気装置本体と、回転数測定手段と、測定した回転数を記憶する記憶手段と、換気装置設置時の回転数と現在の回転数との差を求める回転数比較手段を備え、前記回転数比較手段の比較結果から風量または換気量の変化を報知する報知手段とを備える構成とすることで、換気装置の能力を示す実際の風量または換気量の変化度合いを把握でき、また、実際の風量または換気量の変化度合いを段階的に評価できるため、使用者に換気装置の換気動作の有無、換気装置が住宅の換気設備設計通りの能力を発揮しているか、あるいは発揮していない際には注意を促すことができるという作用を有する。
【００７４】
さらに、電動機により駆動されるファンを備えた換気装置本体と、回転数測定手段と、前記回転数測定手段が測定した値とマイコン制御などにより設定された回転数指令値との差を求める回転数比較手段を備え、前記回転数比較手段の比較結果から風量または換気量の変化を報知する報知手段とを備える構成とすることで、換気装置の能力を示す実際の風量または換気量の変化度合いを把握でき、また、実際の風量または換気量の変化度合いを段階的に評価できるため、使用者に換気装置の風量または換気量の変化を報知、すなわち換気装置の能力低下がないか、あるいは能力低下が発生した際には注意を促すことができるという作用を有する。
【００７５】
また、電動機の単位時間あたりの回転数変動値を演算する回転数変動値演算手段を備え、前記変動値と所定の値との差を求める回転数比較手段とを備える構成とすることで、換気装置の能力を示す実際の風量または換気量の変化度合いを把握でき、また、実際の風量または換気量の変化度合いを段階的に評価できるため、使用者に換気装置の風量または換気量の変化を報知、すなわち換気装置の能力低下がないか、あるいは能力低下が発生した際には注意を促すことができるという作用を有する。
【００７６】
さらに、電動機のある回転数から目的の回転数になるまでの所要時間を計測する計測手段を備え、前記所要時間と所定の値との差を求める回転数比較手段とを備える構成とすることで、換気装置の能力を示す実際の風量または換気量の変化度合いを把握でき、また、実際の風量または換気量の変化度合いを段階的に評価できるため、使用者に換気装置の換気動作の有無、換気装置が住宅の換気設備設計通りの能力を発揮しているか、あるいは発揮していない際には注意を促すことができるという作用を有する。
【００７７】
また、電力計測手段と単位時間あたりの電力変動値を演算する単位時間変動演算手段を備え、前記単位時間変動演算手段から演算された電力変動値と電力変動の所定値と比較する電力比較手段を備え、前記電力比較手段の比較結果から実際の風量または換気量の変化を報知する報知手段とを備える構成とすることで、換気装置の電力値と、換気装置の能力を示す実際の風量または換気量の変化度合いとを把握でき、また、実際の風量または換気量の変化度合いを段階的に評価できるため、使用者に換気装置の換気動作の有無、換気装置が住宅の換気設備設計通りの能力を発揮しているか、あるいは発揮していない際には注意を促すことができるという作用を有する。
【００７８】
さらに、１つの表示手段で複数の内容を表示識別できる表示手段を備える構成とすることで、使用者が換気装置の消費電力や、換気装置の能力を示す実際の風量または換気量など換気装置の任意に複数の運転情報を確認でき、また、換気量を段階的に評価できるため、使用者は換気装置の諸運転状態すなわち消費電力、風量または換気量を一括して確認することができるという作用を有する。
【００７９】
また、報知手段が換気装置と別体とすることで、使用者に換気装置の運転状態把握の視認性向上、および換気回数設定など操作性を向上することができるという作用を有する。
【００８０】
以下、本発明の実施の形態について図面を参照しながら説明する。
【００８１】
（実施の形態１）
本発明の実施の形態１の換気装置１について、図１を参照しながら説明する。図にしめすように、換気装置１は、室内側を開口し、風が通るように構成した吸気口１ａと、吸気口１ａを覆い、風が通るように一部開口されたルーバー１ｂと、回転することで送風を行うファン１ｃと、ファン１ｃを回転させる電動機１ｄと、室外側に排気を通すための排気口１ｅと、排気口１ｅを通る換気装置運転時の風量を直接測定し風量信号を発生する風速風量測定手段２を備える。
【００８２】
次に、前記電動機１ｄに通電状態において、前記風速風量測定手段２が発生した風量信号と換気能力が得られているか否かあるいは換気装置の故障診断の指標である所定値とを比較する事により風量判定を行う風量判定手段３を備え、前記風量判定手段の判定結果に応じて、予め決められた報知事項を室内側に報知する報知手段４が備えられている。
【００８３】
また、風速風量測定手段２の構成について図２を参照しながら説明する。図に示すように、風速風量測定手段２は、風速検知手段５としての熱式風速計５ａと、前記熱式風速計５ａにより検出した風速と熱式風速計５ａの設置箇所により決定される断面積情報を入力し、風量を演算する風量演算手段５ｂとにより構成している。
【００８４】
次に、風量演算手段５ｂのフローチャートについて図３を参照しながら説明する。図に示すように、風量演算手段５ｂは、風で冷却されたときに生じる電気抵抗の変化から風速を検出する熱式風速計５ａからの風速情報を入力する。次に予め設定、記憶しておいた熱式風速計５ａの設置箇所における有効開口断面積を読み出し、風速と有効開口断面積を掛け合わせることで風量を演算する。
【００８５】
次に、風量判定手段３のフローチャートについて、図４を参照しながら説明する。図に示すように、風量判定手段３は、風速風量測定手段２により測定、演算した風量Ｖｓを入力する。さらに予め設定しておいた所定風量Ｖ０を読み出し、測定演算した風量Ｖｓの所定風量Ｖ０に対する比率を演算する。
【００８６】
次に、風量判定手段３が判定した比率に対する報知手段４の報知内容の選択について、図５のフローチャートを参照しながら説明する。なお、本実施の形態においては、ほこりなどの付着がない状態において正常に換気装置が使用された場合の前記排気口１ｅを通る風量を基準値の１００％として表現する。まず、第１ステップにおいて、測定された風量が所定値１としてＡ％、例えば１０％未満である場合には電動機１ｄのロックが発生していると判断する。この時、「電動機ロック状態」を報知して、使用者にサービスと点検の実施を促す。また、第２ステップにおいて、測定された風量が所定値２としてＢ％、例えば６０％未満である場合には、不良施工や規格外のダクト引き回しによる排気抵抗増加や、ルーバー１ｂやファン１ｃにほこりが付着し、目詰まり状態となったことにより換気能力が低下したと判断し、「施工注意・清掃・メンテナンス」を報知して、施工者や使用者に注意を促す。それ以外の場合には、正常な施工が実施されて、ほこりの付着も無い状態と判断し、「正常運転」を報知する。
【００８７】
上記構成において、換気装置１が動作していた際に風速風量測定手段２は排気口１ｅを通る風量を測定し、風量信号として報知手段４に出力する。
【００８８】
図６に報知手段４の表示例を示す。図に示すように、報知手段４は、風量判定手段３が判定した所定風量に対する比率を段階的に表示し、また、前記風量の値が換気能力が得られているか否かあるいは換気装置の故障診断の指標である所定値に達した際に予め決められた報知事項を室内側に報知することとなる。そして、報知手段４は通電状態の換気装置の運転状況に応じて、例えば、長期の使用によりほこりが多量に付着し電動機１ｄがロックした場合には、測定風量が大幅に減少するために、「電動機ロック状態」を報知し、サービス・点検を使用者に促すこととなる。また、施工不良や規格外のダクト引き回しなどの排気抵抗増加や、ルーバー１ｂやファン１ｃにほこりが付着し、目詰まり状態となったことにより換気能力が低下した場合には、測定風量が正常な風量に対し著しく低下するために、「施工注意・清掃・メンテナンス」を報知し、施工者や使用者に注意を促すこととなる。さらに、正常な施工において、ほこりの付着がない場合には測定風量はほぼ基準値に近い値を示すため、「正常運転」を施工者や使用者に報知することとなる。
【００８９】
なお、実施の形態１では、風速風量測定手段２は風速検知手段５と断面積情報と風量演算手段５ｂとで構成しているが、この構成に限定されず、また、配置についても本実施の形態では一体化した形態の構成を説明してあるが、それぞれ別々に配置された場合でも、その作用効果に差異を生じない。
【００９０】
なお、実施の形態１では、風速検知手段５に熱式風速計５ａを用いたが、熱式風速計５ａにかえて超音波式風速計や翼車式風速計、あるいはピトー管式風速計などを用いてもよく、風速検知手段は熱式風速計に限定されず、その作用効果に差異を生じない。
【００９１】
なお、断面積情報は外部入力するように構成し、外部入力により断面積を入力する構成であっても、また、機種ごとに風速検知手段５の配置箇所が決まっていて断面積があらかじめ明確な場合に記憶装置、例えばＲＯＭなどに断面積情報を記憶させ、機種判別することにより前記ＲＯＭから断面積情報を得る構成であっても、断面積情報の取得方法は限定されず、その作用効果に差異を生じない。
【００９２】
なお、ルーバー１ｂに、排気する空気中のほこりをとらえるフィルタを備えた場合においてもその作用効果に差異は生じない。
【００９３】
なお、報知手段４は、発光ダイオード、液晶画面や音声など文章による報知内容の直接的表現のほか、ランプの点灯・点滅やブザーによる警報など間接的表現であってもその作用効果に差異は生じない。
【００９４】
なお、報知手段４は換気装置１に内蔵されて、ルーバー１ｂの開口を介して、室内側に報知を行う構成であっても、あるいは換気装置１の外部に備えられた構成であってもその作用効果に差異は生じない。
【００９５】
また、風速風量測定手段２は風量を測定する構成を実施の形態として説明したが、風速であってもその作用効果に差異はない。
【００９６】
このように本発明の実施の形態１の換気装置によれば、風量を排気口１ｅに設けられた風速風量測定手段２で測定し、風量判定手段３において、測定された風量が換気能力が得られているか否かあるいは換気装置の故障診断の指標である所定値に達したときに、報知手段４から予め決められた報知事項を室内側に報知することとなる。よって、使用者に換気装置通電時の換気能力や換気装置の保守、点検等に関わる情報を詳細に報知することができる。
【００９７】
（実施の形態２）
次に、本発明の実施の形態２の換気装置１の構成について、図７を参照しながら説明する。なお、上記実施の形態１の構成要素と同じ構成要素には、同一番号を付し、その詳細な説明は省略する。図に示すように換気装置１は、風速風量測定手段２と必要換気量演算手段６とを備え、前記風速風量測定手段２が測定した風量すなわち実際の換気量と必要換気量演算手段６から演算された必要換気量とを比較する比較手段７を備え、前記比較手段７の比較結果から予め決められた報知事項を報知する報知手段４を備える。
【００９８】
次に、必要換気量演算手段６の構成について、図８を参照しながら説明する。図に示すように、必要換気量演算手段６は必要換気量を演算する演算式を適宜切り換える演算式切換部６ａと、数値入力部６ｂと必要換気量を演算する換気量演算部６ｃを備える。必要換気量は建物の種類や、火気の使用など用途により様々あるが、一例として部屋の必要換気回数から求める方法で説明する。まず、前記演算式切換部６ａにより、必要換気回数から求める方法で算出することを選択する。次に数値入力部６ｂにより、演算に必要な数値入力を行うと換気量演算部６ｃにより必要換気量が演算される構成となっている。
【００９９】
次に、換気量演算部６ｃの演算フローチャートについて、図９を参照しながら説明する。図に示すように、換気量演算部６ｃの一方法として、必要換気回数から求める方法における必要換気量の演算による方法で説明する。換気量演算部６ｃは、必要換気回数Ｓを入力し、部屋の容積Ｖを入力する。入力した必要換気回数Ｓと部屋の容積Ｖを掛け合わせることで、必要換気量Ｑを計算する。
【０１００】
例えば、部屋の種類を浴室、部屋の広さを１０ｍ３、天井までの高さを２．４ｍとすると、建築設備設計基準より、必要換気回数の目安が５回／ｈのため、必要換気量Ｑは１２０ｍ３／ｈとなる。
【０１０１】
次に、比較手段７のフローチャートについて、図１０を参照しながら説明する。図に示すように、比較手段７は、必要換気量演算手段６により演算した必要換気量と、風速風量測定手段２が測定した実際の換気量を入力する。入力した実際の換気量が必要換気量演算手段６により演算した必要換気量を満足していれば、「正常運転」をそうでない場合は「風量不足」などを使用者に報知することになる。
【０１０２】
なお、上記の演算内容は部屋の必要換気回数から求める方法で説明したが、ほかに、室内の汚染物質の発生量から求める方法、一人あたりの占有面積から求める方法、部屋の必要換気回数から求める方法、室内の発熱量から求める方法、収容人員に基づく方法、床面積あたり必要換気量に基づく方法、理論廃ガス量により求める方法など、建物の種類や用途により演算式は異なるが、何れの演算方法であっても、その作用効果に差異は生じない。
【０１０３】
このように本発明の実施の形態２の換気装置によれば、風量を排気口１ｅに設けられた風速風量測定手段２で測定し、風量判定手段３において、測定された風量が換気能力が得られているか否かあるいはＳ換気装置の故障診断の指標である所定値に達したときに、報知手段４から予め決められた報知事項を室内側に報知することとなる。よって、使用者に換気装置通電時の換気能力や換気装置の保守、点検等に関わる情報を詳細に報知することができる。
【０１０４】
（実施の形態３）
次に、本発明の実施の形態３の換気装置１について、図１１を参照しながら説明する。なお、実施の形態１または２の構成要素と同じ構成要素には、同一番号を付し、その詳細な説明は省略する。換気装置１は風速風量測定手段２と必要換気回数演算手段８とを備え、風速風量測定手段２が測定した値と前記必要換気回数演算手段８により演算された必要換気回数とを比較する第二比較手段９と比較結果から予め決められた報知事項を報知する報知手段４を備える。報知事項については前述の実施の形態１と同様であるので省略する。
【０１０５】
また、必要換気回数演算手段８の構成について、図１２を参照しながら説明する。図に示すように、必要換気回数演算手段８は、必要換気回数を演算する演算式を適宜切り換える演算式切換部８ａと、数値入力部８ｂと、必要換気回数を演算する換気回数演算部８ｃを備える。必要換気回数の演算方法は複数あるが、一例として住宅の換気回数の簡易計算法により求める方法で説明する。まず、前記演算式切換手段により、住宅の換気回数の簡易計算法により求める方法で算出することを選択する。次に数値入力手段により、演算に必要な数値入力を行うと必要換気回数演算手段により必要換気回数が演算される構成となっている。
【０１０６】
次に、換気回数演算部８ｃの演算フローチャートについて、図１３を参照しながら説明する。図に示すように、換気回数演算部８ｃの一方法として、住宅の換気回数の簡易計算法から求める方法における必要換気回数の演算による方法で説明する。換気回数演算部８ｃは、機械換気設備の換気量Ｑを入力し、住宅の気積Ａを入力する。入力した必要換気回数Ｓを住宅の気積Ａで除算することで、必要換気回数Ｎを計算する。ここで、機械換気設備の換気量Ｑは日本工業規格のＣ９６０３の８．８（風量試験）により求まる静圧−風量曲線（Ｐ−Ｑ曲線）において、締切静圧の１／３の静圧に対応する風量である。さらに、住宅の気積Ａは床面積の合計Ｓと天井高さ２．５ｍを掛け合わせることで計算される。
例えば、住宅の床面積の合計を８０（ｍ２）、機械換気設備の換気量Ｑを１４０（ｍ３／ｈ）とすると、住宅の気積Ａは２００（ｍ３）となり、必要換気回数は０．７（回／ｈ）となる。
【０１０７】
次に、第二比較手段９のフローチャートについて、図１４を参照しながら説明する。図に示すように、第二比較手段９は、必要換気回数演算手段８により演算した必要換気回数と、風速風量測定手段２が測定した実際の換気回数を入力する。入力した実際の換気回数が必要換気回数演算手段８により演算した必要換気回数を満足していれば、「正常運転」をそうでない場合は「風量不足」などを使用者に報知することになる。
【０１０８】
なお、上記の演算内容は住宅の換気回数の簡易計算法により求める方法で説明したが、ほかに、住宅の換気回数の計算法により求める方法であっても、演算方法に限定されず、その作用効果に差異は生じない。
【０１０９】
このように本発明の実施の形態３の換気装置によれば、風量を排気口１ｅに設けられた風速風量測定手段２で測定し、風量判定手段３において、測定された風量が換気能力が得られているか否かあるいは換気装置の故障診断の指標である所定値に達したときに、報知手段４から予め決められた報知事項を室内側に報知することとなる。よって、使用者に換気装置通電時の換気能力や換気装置の保守、点検等に関わる情報を詳細に報知することができる。
【０１１０】
（実施の形態４）
本発明の実施の形態４の換気装置１について、図１５を参照しながら説明する。なお、上記実施の形態１〜３の構成要素と同じ構成要素には、同一番号を付し、その詳細な説明は省略する。風速風量測定手段２と換気量設定手段１０とを備え、風速風量測定手段２が測定した値と換気量設定手段１０により設定された換気量とを比較する第三比較手段１１と風量可変手段１２を備える。比較結果から報知手段４により予め決められた報知事項を報知するとともに、設定した換気量が得られていない際には、風量可変手段１２により自動で風量を可変する。
【０１１１】
次に換気量設定手段１０の構成について、図１６を参照しながら説明する。図に示すように、換気量設定手段１０は、換気量設定スイッチ１０ａと、設定する換気量を表示する設定換気量表示部１０ｂと、設定確定スイッチ１０ｃにより構成する。設定換気量表示部１０ｂに表示された設定値を確認しながら、換気量設定スイッチ１０ａにより換気量を増減し、設定確定スイッチ１０ｃにより換気量の設定を確定することになる。
【０１１２】
次に第三比較手段１１は、換気量設定手段１０により設定した換気量と、実際の換気量を比較して、比較結果から報知手段４に対し、出力することとなる。
【０１１３】
次に、風量可変手段１２の構成について、図１７を参照しながら説明する。図に示すように、風量可変手段１２は、風量可変制御部１２ａと風量可変インバータ部１２ｂにより構成する。設定した換気量と実際の換気量に偏差があった場合、風量可変制御部１２ａにより、風量可変インバータ部１２ｂの駆動周波数を変更し、設定した換気量となるように制御することとなる。
【０１１４】
次に風量可変制御部１２ａの制御フローチャートについて図１８を参照しながら説明する。図に示すように、風量可変制御部１２ａは、第１ステップにおいて、測定された風量、及び設定した換気量を入力する。次に測定した換気量と設定した換気量の偏差を演算し、その偏差から比例積分制御器に入力し、指令周波数を更新する。指令周波数は上限、及び下限の周波数と比較し、下限値以下であれば断続運転とする。また上限値以上であれば、上限値でリミット制御を行うよう制御する。この場合、上限値以上となった際には、「風量異常状態」を報知して、使用者にサービスと点検の実施を促す。
【０１１５】
なお、実施の形態４では、風速風量測定手段２が測定した値と換気量設定手段１０により設定された換気量とを比較する構成としているが、換気量設定手段１０にかえて換気回数による設定としても、その作用効果に差異を生じない。
【０１１６】
このように本発明の実施の形態４の換気装置１によれば、風量を排気口１ｅに設けられた風速風量測定手段２で測定し、風量判定手段３において、測定された風量が換気能力が得られているか否かあるいは換気装置の故障診断の指標である所定値に達したときに、報知手段４から予め決められた報知事項を室内側に報知することとなる。よって、使用者に換気装置通電時の換気能力や換気装置の保守、点検等に関わる情報を詳細に報知することができる。
【０１１７】
（実施の形態５）
次に、本発明の実施の形態５の換気装置１について、図１９を参照しながら説明する。なお、上記実施の形態１〜４の構成要素と同じ構成要素には、同一番号を付し、その詳細な説明は省略する。図に示すように、換気装置１は、ファン１ｃの回転数を測定する回転数測定手段１３と、測定した回転数を記憶する記憶手段１４と、換気装置１の設置時の回転数と現在の回転数との差を求め、比較結果から風量または換気量の変化を判定する第四比較手段１５と、比較結果から風量または換気量の変化と予め決められた報知事項を報知する報知手段４を備えている。
【０１１８】
次に回転数測定手段１３の構成について、図２０を参照しながら説明する。図に示すように、回転数測定手段１３は、回転するファン１ｃに向けて光を発光する発光部１３ａとファン１ｃの１箇所に固定した反射板１３ｂと、反射した光を受光し、かつ受光回数をカウントするカウント部１３ｃと、カウント数から回転数を演算する回転数演算部１３ｄにより構成する。本構成により、発光部１３ａにより発光した光が１回転毎に反射板１３ｂにより反射し、反射した光をカウント部１３ｃで受け、かつカウントすることにより、単位時間当たりのカウント数、すなわち回転数を得ることができる。
【０１１９】
換気装置１を設置した際、回転数測定手段１３により測定した回転数は、記憶手段１４としてのフラッシュＲＯＭ１４に記憶し、通常使用状態における回転数も随時測定、計算する。
【０１２０】
次に第四比較手段１５のフローチャートについて、図２１を参照しながら説明する。図に示すように、第四比較手段１５は、フラッシュＲＯＭ１４に記憶している設置時に測定した回転数を入力する。次に、通常使用状態における随時測定している現在の回転数を入力する。設置時に測定した回転数Ｎ０から現在の回転数Ｎｔを減算し、回転数の偏差がＮａ以上であれば、「電動機ロック状態」と判定し、サービス・点検を使用者に促すこととなる。また、回転数の偏差がＮｂ以上であれば、施工不良や規格外のダクト引き回しなどの排気抵抗増加や、ルーバー１ｂやファン１ｃにほこりが付着し、目詰まり状態となったことにより換気能力が低下していると判定する。また、それ以外の場合では、正常な状態と判定することとなる。判定した結果に基づいて、報知手段４へ状態を伝送し、状態に応じた状況を報知することとなる。
【０１２１】
なお、実施の形態５では、換気装置設置時の回転数と現在の回転数との差を求める構成としているが、この構成にかえて、現在の回転数とマイコン制御などにより設定された回転数指令値との差を求める構成、あるいは単位時間あたりの回転数変動値と所定変動値との差を求める構成、さらにはある回転数から目的の回転数に達するまでの所要時間と所定所要時間との差を求める構成であっても、その作用効果に差異を生じない。
【０１２２】
このように本発明の実施の形態５の換気装置によれば、風量を排気口１ｅに設けられた風速風量測定手段２で測定し、風量判定手段３において、測定された風量が換気能力が得られているか否かあるいは換気装置の故障診断の指標である所定値に達したときに、報知手段４から予め決められた報知事項を室内側に報知することとなる。よって、使用者に換気装置通電時の換気能力や換気装置の保守、点検等に関わる情報を詳細に報知することができる。
【０１２３】
（実施の形態６）
次に、本発明の実施の形態６の換気装置１の構成について、図２２を参照しながら説明する。なお、上記実施の形態１〜５の構成要素と同じ構成要素には、同一番号を付し、その詳細な説明は省略する。図に示すように、換気装置１は、電力計測手段１６と単位時間あたりの電力変動値を演算する単位時間変動演算手段１７を備え、単位時間変動演算手段１７から演算された電力変動値と電力変動の所定値と比較する第五比較手段１８と、比較結果から風量または換気量の変化と予め決められた報知事項を報知する報知手段４を備えている。
【０１２４】
次に、電力計測手段１６の構成について、図２３を参照しながら説明する。図に示すように、電力計測手段１６は、換気装置１に供給される電圧を計測する電圧センサ１６ａと、換気装置１に供給される電流を計測する電流センサ１６ｂと、計測した電圧、電流から電力を演算する電力演算部１６ｃにより構成する。本構成により、電力計測手段１６は、換気装置１に供給する電力を計測することとなる。
【０１２５】
次に、電力演算部１６ｃの電力演算フローチャートについて、図２４を参照しながら説明する。図に示すように、電力演算部１６ｃは、電圧センサ１６ａにより計測した電圧瞬時値を入力する。次に、電流センサ１６ｂにより計測した電流瞬時値を入力する。入力した電圧瞬時値、及び電流瞬時値を掛け合わせ、電源周波数の１サイクル分を積分することで演算することとなる。
【０１２６】
また、第五比較手段１８は、演算した電力の時系列変動量と、電力変動の所定値を比較し、その結果、演算した電力変動量が大きかった場合は、異常であると識別する。
【０１２７】
このように本発明の実施の形態６の換気装置１によれば、電力計測手段１６により検出した電力の変動量を所定値と比較することで、検出した変動量が所定値に達したときに、報知手段４から予め決められた報知事項を室内側に報知することとなる。よって、使用者に換気装置通電時の換気能力や換気装置の保守、点検等に関わる情報を詳細に報知することができる。
【０１２８】
（実施の形態７）
次に、本発明の実施の形態７の換気装置１について、図２５を参照しながら説明する。なお、上記実施の形態１〜６の構成要素と同じ構成要素には、同一番号を付し、その詳細な説明は省略する。図２５に示すように、換気装置１は表示手段１９を備えている。
【０１２９】
また、表示手段１９の構成について、図２６を参照しながら説明する。図に示すように、表示手段１９は、表示する表示部１９ａと、表示内容を切り換える切換スイッチ部１９ｂと、切換スイッチ部１９ｂの押下回数によって、表示部１９ａへ伝送する内容を切り換える表示伝送部１９ｃにより構成している。本構成により、切換スイッチ部１９ｂを押下する毎に表示部１９ａに表示される内容は切り換わることとなる。
【０１３０】
このように本発明の実施の形態７の換気装置によれば、１つの表示手段１９により複数の内容を表示識別することができる。
【０１３１】
（実施の形態８）
次に、本発明の実施の形態８の換気装置１について、図２７を参照しながら説明する。なお、上記実施の形態１〜７の構成要素と同じ構成要素には、同一番号を付し、その詳細な説明は省略する。図２７に示すように、換気装置１とは、別体に第二報知手段２０を備えている。第二報知手段２０は、換気装置１で検出、判定した状態を受信部２０ａでデータを受信し、報知部２０ｂに受信した状態を表示する。
【０１３２】
このように本発明の実施の形態８の換気装置１によれば、換気装置１の本体とは別体に第二報知手段２０を備えることで、使用者に換気装置通電時の換気能力や換気装置の保守、点検等に関わる情報を詳細に報知することができる。
【産業上の利用可能性】
【０１３３】
換気機能のついた装置、例えば、換気機能付エアコンなどへの用途にも適用できる。
【図面の簡単な説明】
【０１３４】
【図１】本発明の実施の形態１の換気装置を示す構成図
【図２】同風速風量測定手段の構成図
【図３】同風量演算手段のフローチャート
【図４】同風量判定手段のフローチャート
【図５】同報知手段の報知内容選択フローチャート
【図６】同報知手段の表示例を示す図
【図７】本発明の実施の形態２の換気装置を示す構成図
【図８】同必要換気量演算手段の構成図
【図９】同換気量演算部の演算フローチャート
【図１０】同比較手段のフローチャート
【図１１】本発明の実施の形態３の換気装置を示す構成図
【図１２】同必要換気回数演算手段の構成図
【図１３】同換気回数演算部の演算フローチャート
【図１４】同第二比較手段のフローチャート
【図１５】本発明の実施の形態４の換気装置を示す構成図
【図１６】同換気量設定手段の構成図
【図１７】同風量可変手段の構成図
【図１８】同風量可変制御部の制御フローチャート
【図１９】本発明の実施の形態５の換気装置を示す構成図
【図２０】同回転数測定手段の構成図
【図２１】第四比較手段のフローチャート
【図２２】本発明の実施の形態６の換気装置を示す構成図
【図２３】同電力計測手段の構成図
【図２４】電力演算部の電力演算フローチャート
【図２５】本発明の実施の形態７の換気装置を示す構成図
【図２６】表示手段の構成図
【図２７】本発明の実施の形態８の換気装置を示す構成図
【図２８】従来の換気装置の構成図
【符号の説明】
【０１３５】
１  換気装置
２  風速風量測定手段
３  風量判定手段
４  報知手段
５  風速検知手段
６  必要換気量演算手段
７  比較手段
８  必要換気回数演算手段
９  第二比較手段
１０  換気量設定手段
１１          第三比較手段
１２  風量可変手段
１３  回転数測定手段
１４  記憶手段
１５  第四比較手段
１６  電力計測手段
１７  単位時間変動演算手段
１８  第五比較手段
１９  表示手段
２０  第二報知手段
【図１】
2005106322.tif 000003
【図２】
2005106322.tif 000004
【図３】
2005106322.tif 000005
【図４】
2005106322.tif 000006
【図５】
2005106322.tif 000007
【図６】
2005106322.tif 000008
【図７】
2005106322.tif 000009
【図８】
2005106322.tif 000010
【図９】
2005106322.tif 000011
【図１０】
2005106322.tif 000012
【図１１】
2005106322.tif 000013
【図１２】
2005106322.tif 000014
【図１３】
2005106322.tif 000015
【図１４】
2005106322.tif 000016
【図１５】
2005106322.tif 000017
【図１６】
2005106322.tif 000018
【図１７】
2005106322.tif 000019
【図１８】
2005106322.tif 000020
【図１９】
2005106322.tif 000021
【図２０】
2005106322.tif 000022
【図２１】
2005106322.tif 000023
【図２２】
2005106322.tif 000024
【図２３】
2005106322.tif 000025
【図２４】
2005106322.tif 000026
【図２５】
2005106322.tif 000027
【図２６】
2005106322.tif 000028
【図２７】
2005106322.tif 000029
【図２８】
2005106322.tif 000030